(57)【要約】【課題】幅や高さを調整して衣服や身の回り品を吊るすことできると共に、便利に並列することができる物干し構造を提供する。【解決手段】垂直部と水平部で構成され、門型となって高さが異なる第１ポール１と第２ポール２からなる。第１、第２ポール１、２の垂直部１１、２１の適当な位置と底端に、交叉状の連接ポール３を連接すると共に、第１、第２ポールの水平部１２、２２をそれぞれ伸縮可能な構造として設ける。このうち、第１、第２ポールの垂直部１１、２１と、連接ポールの連接領域、及び水平部１２、２２にそれぞれ螺合構造４を設け、連接ポール３で物干しが各種型態に変換可能となる。伸縮構造によって水平な幅や垂直な高さを調整すると共に、螺合構造４の位置決めにより、第１、第２ポールの水平部に衣服や身の回り品を吊るし、使用しない時は、連接ポールで第１、第２ポールを相互に並列にして、運搬や保管に便利なようにする。【選択図】図１
0003184211.tif 000002
【実用新案登録請求の範囲】
【請求項１】
第１ポールと、第２ポールと、第１ポールと第２ポールに連接する複数の連接ポールからなり、前記第１ポールは垂直部と水平部で構成され、水平部の両端はそれぞれ垂直部の上端に接合され、垂直部の底縁にそれぞれブッシュを設け、各ブッシュにそれぞれ対称となった突起部を設け、前記第２ポールは垂直部と水平部で構成され、水平部の両端はそれぞれ垂直部の上端に接合され、垂直部は底縁にそれぞれブッシュを設け、各ブッシュにそれぞれ対称となった突起部を設け、前記連接ポールの一端はそれぞれ第１ポールと第２ポールの垂直部に設けられたブッシュの突起部に枢接された物干しの構造の改良において、
前記第１ポールと第２ポールの垂直部と水平部にそれぞれ螺合構造を設けて、連接ポールに連接し、前記連接ポールを交叉状にして、連接ポールが伸縮することによって物干しは各種型態に変換可能であり、伸縮構造で幅や高さを調整すると共に、螺合構造による位置決めにより、第１ポールと第２ポールの水平部に衣服や身の回り品を吊るし、使用しない時は、運搬や保管に便利なように、連接ポールを折り畳むことで第１ポールと第２ポールを相互に並列にしておくことができることを特徴とする物干し構造の改良。
【請求項２】
螺合構造は第１、第２ポールの垂直部と水平部に固定されたブッシュ状の台座からなり、第１、第２ポールの垂直部と水平部に嵌設され、キャップ状となって内縁にねじ山の螺合部材を設け、台座の一端に複数の凹部を設け、凹部の下方にねじ山を設け、螺合部材で台座に螺合して、台座を内向きに引き締めて螺合を形造ることを特徴とする請求項１に記載の物干し構造の改良。
【請求項３】
螺合構造の台座に突起部を設けて連接ポールを枢接することを特徴とする請求項２に記載の物干し構造の改良。
【考案の詳細な説明】
【技術分野】
【０００１】
本考案は、環境ニーズに応じて各種型態に変換可能で、幅や高さを調整して衣服や身の回り品を吊るすことでき、使用しない時は、搬運や保管に便利なように並列にしておくことができる物干し構造の改良に関する。
【背景技術】
【０００２】
一般に衣服や身の回り品、靴や靴下、或いは他の物品を晒す場合、通常、先ず物干し竿や太目の物干しロープを固定して、物干し竿や物干しロープにハンガーや靴・靴下掛け等を掛ける。
【先行技術文献】
【特許文献】
【０００３】
【特許文献１】なし
【考案の概要】
【考案が解決しようとする課題】
【０００４】
然しながら、前述した従来の技術では、物干し竿や物干しロープの両端を固定する必要があり、固定する位置は地面から一定の距離の高さが必要であり、狭くなる一方の現代の居住環境では実際に生活面で不便となっている。従って、多くのタイプの物干しが編み出され、前述の欠点がやや改善されたものの、既存の物干しは環境要素を考慮する必要があり、使用面である程度制限される。
【０００５】
よって、本考案者は上記の問題に鑑みて、以前、物干を設計し、従来の物干しの欠点を改善することができたものの、上記の欠点がなお改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、環境ニーズに応じて各種型態に変換可能で、幅や高さを調整して、螺合構造での位置決めによって衣服や身の回り品を吊るすことでき、使用しない時は、搬運や保管に便利なように折り畳みが可能な物干し構造の改良を提供することを主目的とする。
【課題を解決するための手段】
【０００７】
上記課題を解決し、目的を達成するために、本考案に係る物干し構造の改良は、第１ポールと、第２ポールと、第１ポールと第２ポールに連接する複数の連接ポールからなり、前記第１ポールは垂直部と水平部で構成され、水平部の両端はそれぞれ垂直部の上端に接合され、垂直部の底縁にそれぞれブッシュを設け、各ブッシュにそれぞれ対称となった突起部を設け、前記第２ポールは垂直部と水平部で構成され、水平部の両端はそれぞれ垂直部の上端に接合され、垂直部は底縁にそれぞれブッシュを設け、各ブッシュにそれぞれ対称となった突起部を設け、前記連接ポールの一端はそれぞれ第１ポールと第２ポールの垂直部に設けられたブッシュの突起部に枢接され、前記第１ポールと第２ポールの垂直部と水平部にそれぞれ螺合構造を設けて、連接ポールに連接し、前記連接ポールを交叉状にして、連接ポールが伸縮することによって物干しは各種型態に変換可能であり、伸縮構造で幅や高さを調整すると共に、螺合構造による位置決めにより、第１ポールと第２ポールの水平部に衣服や身の回り品を吊るし、使用しない時は、運搬や保管に便利なように、連接ポールを折り畳むことで第１ポールと第２ポールを相互に並列にしておくことができることを特徴とする。
【０００８】
なお、本考案に係る物干し構造の改良は、螺合構造は第１、第２ポールの垂直部と水平部に固定されたブッシュ状の台座からなり、第１、第２ポールの垂直部と水平部に嵌設され、キャップ状となって内縁にねじ山の螺合部材を設け、台座の一端に複数の凹部を設け、凹部の下方にねじ山を設け、螺合部材で台座に螺合して、台座を内向きに引き締めて螺合を形造ることを特徴とする。
【考案の効果】
【０００９】
本考案によれば、環境ニーズに応じて各種型態に変換可能で、幅や高さを調整して、螺合構造での位置決めによって衣服や身の回り品を吊るすことでき、使用しない時は、搬運や保管に便利なように折り畳みが可能な物干し構造が得られる。
【図面の簡単な説明】
【００１０】
【図１】本考案の斜視図である。
【図２】本考案の垂直部の螺合構造を説明する斜視図である。
【図３】本考案の水平部の螺合構造を説明する斜視図である。
【図４】本考案における使用中の実施例図である。
【図５】本考案の別の使用中の実施例図である。
【図６】本考案の収納時の折畳みの実施例図である。
【考案を実施するための形態】
【００１１】
以下に図面を参照して、本考案を実施するための形態について、詳細に説明する。なお、本考案は、以下に説明する実施形態に限定されるものではない。
【００１２】
本考案の実施形態に係る物干し構造の改良は図１、図２及び図３の斜視図に示すとおりである。本考案は第１ポール１、第２ポール２、及び第１ポール１と第２ポール２に連接する複数の連接ポール３からなる。このうち、前記第１ポール１は垂直部１１と水平部１２で構成されて概ね門型となっており、垂直部１１は伸縮ポールとして設けられて、適当な位置に位置決め栓１１１を設け、位置決め栓１１１によって垂直部１１で伸縮調整した上で、螺合して位置決めするが、位置決め栓１１１の下方と底縁には、それぞれ螺合構造４とブッシュ５が設けられ、前記螺合構造４は垂直部１１に固定されたブッシュ状の台座４１を含んで垂直部１１に嵌設し、その内縁にねじ山の螺合部材４２を設け、台座４１に突起部４１１を設け、その一端に複数の凹部４１２を設け、凹部４１２下方にねじ山４１３を設けて、螺合部材４２で台座４１に螺合し、台座４１を内向きに引き締めて螺合を形造る。ブッシュ５にはそれぞれ対称となった突起部５１を設け、前記水平部１２は伸縮ポールとして設けられて、その適当な位置に螺合構造４を設け、螺合構造４によって水平部１２を伸縮調整した上で、螺合して位置決めし、水平部１２に複数のリング状フック６を穿設する。
【００１３】
前記第２ポール２は垂直部２１と水平部２２で構成されて概ね門型となっおり、その垂直部２１は伸縮ポールとして設けられ、垂直部１１の下方と底縁にそれぞれ螺合構造４とブッシュ５を設け、前記螺合構造４は垂直部１１に固定されたブッシュ状の台座４１を含んで垂直部１１に嵌設され、その内縁にねじ山の螺合部材４２を設け、台座４１の一端に複数の凹部４１２を設け、凹部４１２の下方にねじ山４１３を設け、螺合部材４２で台座４１に螺合して、台座４１を内向に引き締めて螺合を形造る。ブッシュ５にはそれぞれ対称となった突起部５１を設け、前記水平部１２は伸縮ポールとして設けられ、その適当な位置に螺合構造４を設け、螺合構造４によって水平部１２を伸縮調整した上で螺合して位置決めし、水平部１２に複数のリング状フック６を穿設する。
【００１４】
前記連接ポール３の両端は、それぞれ第１ポール１と第２ポール２の垂直部１１、２１に設けられた螺合構造４の突起部４１１とブッシュ５の突起部５１に枢接されて、前記連接ポール３を交叉状にして、前記部材の組合わせにより物干しを構成する。連接ポール３の伸縮によって物干しは各種型態に変換可能で、しかも伸縮構造により幅や高さを調整すると共に、螺合構造４による位置決めによって、第１ポール１と第２ポール２の水平部１２、２２に穿設されたリング状フック６に衣服や身の回り品を吊るし、使用しない時は、運搬や保管に便利なように、連接ポール３を折り畳んで第１ポール１と第２ポール２を相互に並列にしておくことができる。
【００１５】
図４は本考案における使用中の実施例図である。図１に示すように、本考案を使用する際、連接ポール３を伸縮することによって、第１ポール１と第２ポール２が十字状に交錯して物干しを構成する。さらに第１ポール１の高さや第１、第２ポール１、２の幅を伸縮調整して、第１ポール１と第２ポール２の水平部１２、２２に穿設されたリング状フック６に衣服や身の回り品を吊るす。
【００１６】
なお、図５は本考案の使用中の他の実施例図である。図５に示すように、本考案を使用する際、連接ポール３を伸縮することによって、第１ポール１と第２ポール２が前後の位置で並列となって別の異なる型態の物干しを構成する。さらに第１ポール１の高さと第１、第２ポール１、２の幅を伸縮調整することで、第１ポール１と第２ポール２の水平部１２、２２に穿設されたリング状フック６に衣服や身の回り品を吊るす。
【００１７】
図６は本考案の収納時の折畳みの実施例図である。図６に示すように、本考案を使用しない時、連接ポール３を伸縮することによって、第１ポール１と第２ポール２が前後の位置で並列となって、第１、第２ポール１、２をぴったりと並べて近づけて物干しを扁平状に構成し、体積を縮小して保管や運搬に便利なようにする。
【００１８】
以上、本考案の実施形態について図面を参照して詳述したが、具体的な構成はこの実施形態に限られるものではなく、本考案の要旨を逸脱しない範囲の設計変更等も含まれる。
【符号の説明】
【００１９】
１：第１ポール
１１：垂直部
１１１：位置決め栓
１２：水平部
２：第２ポール
２１：垂直部
２２：水平部
３：連接ポール
４：螺合構造  
４１：台座
４１１：突起部
４１２：凹部
４１３：ねじ山
４２：螺合部材
５：ブッシュ
５１：突起部
６：リング状フック
【図１】
0003184211.tif 000003
【図２】
0003184211.tif 000004
【図３】
0003184211.tif 000005
【図４】
0003184211.tif 000006
【図５】
0003184211.tif 000007
【図６】
0003184211.tif 000008
【手続補正書】
【提出日】平成25年4月5日(2013.4.5)
【手続補正１】
【補正対象書類名】実用新案登録請求の範囲
【補正対象項目名】全文
【補正方法】変更
【補正の内容】
【実用新案登録請求の範囲】
【請求項１】
第１ポールと、第２ポールと、第１ポールと第２ポールに連接する複数の連接ポールからなり、前記第１ポールは垂直部と水平部で構成され、水平部の両端はそれぞれ垂直部の上端に接合され、垂直部の底縁にそれぞれブッシュを設け、各ブッシュにそれぞれ対称となった突起部を設け、前記第２ポールは垂直部と水平部で構成され、水平部の両端はそれぞれ垂直部の上端に接合され、垂直部は底縁にそれぞれブッシュを設け、各ブッシュにそれぞれ対称となった突起部を設け、前記連接ポールの一端はそれぞれ第１ポールと第２ポールの垂直部に設けられたブッシュの突起部に枢接された物干し構造において、
前記第１ポールと第２ポールの垂直部と水平部にそれぞれ螺合構造を設けて、連接ポールに連接し、前記連接ポールを交叉状にして、連接ポールが伸縮することによって物干しは各種型態に変換可能であり、伸縮構造で幅や高さを調整すると共に、螺合構造による位置決めにより、第１ポールと第２ポールの水平部に衣服や身の回り品を吊るし、使用しない時は、運搬や保管に便利なように、連接ポールを折り畳むことで第１ポールと第２ポールを相互に並列にしておくことができることを特徴とする物干し構造。
【請求項２】
螺合構造は第１、第２ポールの垂直部と水平部に固定されたブッシュ状の台座からなり、第１、第２ポールの垂直部と水平部に嵌設され、キャップ状となって内縁にねじ山の螺合部材を設け、台座の一端に複数の凹部を設け、凹部の下方にねじ山を設け、螺合部材で台座に螺合して、台座を内向きに引き締めて螺合を形造ることを特徴とする請求項１に記載の物干し構造。
【請求項３】
螺合構造の台座に突起部を設けて連接ポールを枢接することを特徴とする請求項２に記載の物干し構造。
【手続補正２】
【補正対象書類名】明細書
【補正対象項目名】全文
【補正方法】変更
【補正の内容】
【考案の詳細な説明】
【技術分野】
【０００１】
本考案は、環境ニーズに応じて各種型態に変換可能で、幅や高さを調整して衣服や身の回り品を吊るすことでき、使用しない時は、搬運や保管に便利なように並列にしておくことができる物干し構造に関する。
【背景技術】
【０００２】
一般に衣服や身の回り品、靴や靴下、或いは他の物品を晒す場合、通常、先ず物干し竿や太目の物干しロープを固定して、物干し竿や物干しロープにハンガーや靴・靴下掛け等を掛ける。
【先行技術文献】
【特許文献】
【０００３】
【特許文献１】なし
【考案の概要】
【考案が解決しようとする課題】
【０００４】
然しながら、前述した従来の技術では、物干し竿や物干しロープの両端を固定する必要があり、固定する位置は地面から一定の距離の高さが必要であり、狭くなる一方の現代の居住環境では実際に生活面で不便となっている。従って、多くのタイプの物干しが編み出され、前述の欠点がやや改善されたものの、既存の物干しは環境要素を考慮する必要があり、使用面である程度制限される。
【０００５】
よって、本考案者は上記の問題に鑑みて、以前、物干を設計し、従来の物干しの欠点を改善することができたものの、上記の欠点がなお改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、環境ニーズに応じて各種型態に変換可能で、幅や高さを調整して、螺合構造での位置決めによって衣服や身の回り品を吊るすことでき、使用しない時は、搬運や保管に便利なように折り畳みが可能な物干し構造を提供することを主目的とする。
【課題を解決するための手段】
【０００７】
上記課題を解決し、目的を達成するために、本考案に係る物干し構造は、第１ポールと、第２ポールと、第１ポールと第２ポールに連接する複数の連接ポールからなり、前記第１ポールは垂直部と水平部で構成され、水平部の両端はそれぞれ垂直部の上端に接合され、垂直部の底縁にそれぞれブッシュを設け、各ブッシュにそれぞれ対称となった突起部を設け、前記第２ポールは垂直部と水平部で構成され、水平部の両端はそれぞれ垂直部の上端に接合され、垂直部は底縁にそれぞれブッシュを設け、各ブッシュにそれぞれ対称となった突起部を設け、前記連接ポールの一端はそれぞれ第１ポールと第２ポールの垂直部に設けられたブッシュの突起部に枢接され、前記第１ポールと第２ポールの垂直部と水平部にそれぞれ螺合構造を設けて、連接ポールに連接し、前記連接ポールを交叉状にして、連接ポールが伸縮することによって物干しは各種型態に変換可能であり、伸縮構造で幅や高さを調整すると共に、螺合構造による位置決めにより、第１ポールと第２ポールの水平部に衣服や身の回り品を吊るし、使用しない時は、運搬や保管に便利なように、連接ポールを折り畳むことで第１ポールと第２ポールを相互に並列にしておくことができることを特徴とする。
【０００８】
なお、本考案に係る物干し構造は、螺合構造は第１、第２ポールの垂直部と水平部に固定されたブッシュ状の台座からなり、第１、第２ポールの垂直部と水平部に嵌設され、キャップ状となって内縁にねじ山の螺合部材を設け、台座の一端に複数の凹部を設け、凹部の下方にねじ山を設け、螺合部材で台座に螺合して、台座を内向きに引き締めて螺合を形造ることを特徴とする。
【考案の効果】
【０００９】
本考案によれば、環境ニーズに応じて各種型態に変換可能で、幅や高さを調整して、螺合構造での位置決めによって衣服や身の回り品を吊るすことでき、使用しない時は、搬運や保管に便利なように折り畳みが可能な物干し構造が得られる。
【図面の簡単な説明】
【００１０】
【図１】本考案の斜視図である。
【図２】本考案の垂直部の螺合構造を説明する斜視図である。
【図３】本考案の水平部の螺合構造を説明する斜視図である。
【図４】本考案における使用中の実施例図である。
【図５】本考案の別の使用中の実施例図である。
【図６】本考案の収納時の折畳みの実施例図である。
【考案を実施するための形態】
【００１１】
以下に図面を参照して、本考案を実施するための形態について、詳細に説明する。なお、本考案は、以下に説明する実施形態に限定されるものではない。
【００１２】
本考案の実施形態に係る物干し構造は図１、図２及び図３の斜視図に示すとおりである。本考案は第１ポール１、第２ポール２、及び第１ポール１と第２ポール２に連接する複数の連接ポール３からなる。このうち、前記第１ポール１は垂直部１１と水平部１２で構成されて概ね門型となっており、垂直部１１は伸縮ポールとして設けられて、適当な位置に位置決め栓１１１を設け、位置決め栓１１１によって垂直部１１で伸縮調整した上で、螺合して位置決めするが、位置決め栓１１１の下方と底縁には、それぞれ螺合構造４とブッシュ５が設けられ、前記螺合構造４は垂直部１１に固定されたブッシュ状の台座４１を含んで垂直部１１に嵌設し、その内縁にねじ山の螺合部材４２を設け、台座４１に突起部４１１を設け、その一端に複数の凹部４１２を設け、凹部４１２下方にねじ山４１３を設けて、螺合部材４２で台座４１に螺合し、台座４１を内向きに引き締めて螺合を形造る。ブッシュ５にはそれぞれ対称となった突起部５１を設け、前記水平部１２は伸縮ポールとして設けられて、その適当な位置に螺合構造４を設け、螺合構造４によって水平部１２を伸縮調整した上で、螺合して位置決めし、水平部１２に複数のリング状フック６を穿設する。
【００１３】
前記第２ポール２は垂直部２１と水平部２２で構成されて概ね門型となっおり、その垂直部２１は伸縮ポールとして設けられ、垂直部１１の下方と底縁にそれぞれ螺合構造４とブッシュ５を設け、前記螺合構造４は垂直部１１に固定されたブッシュ状の台座４１を含んで垂直部１１に嵌設され、その内縁にねじ山の螺合部材４２を設け、台座４１の一端に複数の凹部４１２を設け、凹部４１２の下方にねじ山４１３を設け、螺合部材４２で台座４１に螺合して、台座４１を内向に引き締めて螺合を形造る。ブッシュ５にはそれぞれ対称となった突起部５１を設け、前記水平部１２は伸縮ポールとして設けられ、その適当な位置に螺合構造４を設け、螺合構造４によって水平部１２を伸縮調整した上で螺合して位置決めし、水平部１２に複数のリング状フック６を穿設する。
【００１４】
前記連接ポール３の両端は、それぞれ第１ポール１と第２ポール２の垂直部１１、２１に設けられた螺合構造４の突起部４１１とブッシュ５の突起部５１に枢接されて、前記連接ポール３を交叉状にして、前記部材の組合わせにより物干しを構成する。連接ポール３の伸縮によって物干しは各種型態に変換可能で、しかも伸縮構造により幅や高さを調整すると共に、螺合構造４による位置決めによって、第１ポール１と第２ポール２の水平部１２、２２に穿設されたリング状フック６に衣服や身の回り品を吊るし、使用しない時は、運搬や保管に便利なように、連接ポール３を折り畳んで第１ポール１と第２ポール２を相互に並列にしておくことができる。
【００１５】
図４は本考案における使用中の実施例図である。図１に示すように、本考案を使用する際、連接ポール３を伸縮することによって、第１ポール１と第２ポール２が十字状に交錯して物干しを構成する。さらに第１ポール１の高さや第１、第２ポール１、２の幅を伸縮調整して、第１ポール１と第２ポール２の水平部１２、２２に穿設されたリング状フック６に衣服や身の回り品を吊るす。
【００１６】
なお、図５は本考案の使用中の他の実施例図である。図５に示すように、本考案を使用する際、連接ポール３を伸縮することによって、第１ポール１と第２ポール２が前後の位置で並列となって別の異なる型態の物干しを構成する。さらに第１ポール１の高さと第１、第２ポール１、２の幅を伸縮調整することで、第１ポール１と第２ポール２の水平部１２、２２に穿設されたリング状フック６に衣服や身の回り品を吊るす。
【００１７】
図６は本考案の収納時の折畳みの実施例図である。図６に示すように、本考案を使用しない時、連接ポール３を伸縮することによって、第１ポール１と第２ポール２が前後の位置で並列となって、第１、第２ポール１、２をぴったりと並べて近づけて物干しを扁平状に構成し、体積を縮小して保管や運搬に便利なようにする。
【００１８】
以上、本考案の実施形態について図面を参照して詳述したが、具体的な構成はこの実施形態に限られるものではなく、本考案の要旨を逸脱しない範囲の設計変更等も含まれる。
【符号の説明】
【００１９】
１：第１ポール
１１：垂直部
１１１：位置決め栓
１２：水平部
２：第２ポール
２１：垂直部
２２：水平部
３：連接ポール
４：螺合構造  
４１：台座
４１１：突起部
４１２：凹部
４１３：ねじ山
４２：螺合部材
５：ブッシュ
５１：突起部
６：リング状フック